(57)【要約】【課題】外部電源から電力が供給される電源別置型であっても、外部電源から点灯回路に供給される電力に関する電気的変量が小さいことを容易に知らせる。【解決手段】照明器具１は、光源と、本体と、点灯回路３１と、判定部３６と、報知部（例えばモニタランプ３５）とを備える。点灯回路３１は、本体に収容されており、本体外に設けられる外部電源６から電力が供給されて光源を点灯させる。判定部３６は、外部電源６から点灯回路３１に供給される電力に関する電気的変量が基準範囲内であるか否かを判定する。報知部は、電気的変量が基準範囲内でないと判定部３６が判定する場合に判定部３６の判定結果を報知する。【選択図】図１
2019135709.tif 000002
【特許請求の範囲】
【請求項１】
光源と、
本体と、
前記本体に収容されており、前記本体外に設けられる外部電源から電力が供給されて前記光源を点灯させる点灯回路と、
前記外部電源から前記点灯回路に供給される前記電力に関する電気的変量が基準範囲内であるか否かを判定する判定部と、
前記電気的変量が前記基準範囲内でないと前記判定部が判定する場合に前記判定部の判定結果を報知する報知部と、を備える、
照明器具。
【請求項２】
前記電気的変量は、前記点灯回路から前記光源へ出力される出力電流である、
請求項１に記載の照明器具。
【請求項３】
前記報知部は、前記外部電源から前記点灯回路に前記電力が供給されているか否かを報知するモニタランプである、
請求項１又は２に記載の照明器具。
【請求項４】
前記報知部は、前記光源と兼用し、
前記点灯回路は、前記電気的変量が前記基準範囲内でないと前記判定部が判定する場合に、あらかじめ決められた点灯状態で前記光源を点灯させる、
請求項１又は２に記載の照明器具。
【請求項５】
前記点灯回路は、外部から前記照明器具に対して非常点灯の指示が行われたときに、前記外部電源から電力が供給されて前記光源を点灯させる、
請求項１〜４のいずれか１項に記載の照明器具。
【発明の詳細な説明】
【技術分野】
【０００１】
本発明は、一般に照明器具に関し、より詳細には、外部電源から電力が供給されて光源を点灯させる照明器具に関する。
【背景技術】
【０００２】
従来、非常時に予備電源（外部電源）からの電力の供給を受けて光源部を点灯させる非常用照明器具が知られている（例えば、特許文献１参照）。特許文献１に記載された非常用照明器具は、光源部を構成するＬＥＤ（Light Emitting Diode）と、器具本体と、点灯回路とを備える。器具本体には、光源部が設けられている。点灯回路は、ＬＥＤを点灯させるための回路である。予備電源は、非常用照明器具とは別の場所に配置されている。
【先行技術文献】
【特許文献】
【０００３】
【特許文献１】特開２０１２−１１３９０６号公報
【発明の概要】
【発明が解決しようとする課題】
【０００４】
特許文献１に記載された従来の非常用照明器具は、上述したように、非常用照明器具とは別の場所に配置されている外部電源から電力の供給を受けている。このため、外部電源と非常用照明器具とを接続する電力線において、電圧降下が発生する。この電圧降下は、外部電源と非常用照明器具の点灯回路との間の距離が長くなるほど大きくなる。この場合、外部電源の出力端における出力電圧が正常な電圧値であるにもかかわらず、点灯回路の入力端における入力電圧が予備電源の出力電圧よりも低くなるため、光源の光量が少なくなり、からの光が照射される面において必要な照度が得られないことがある。
【０００５】
本発明は上記の点に鑑みてなされた発明であり、本発明の目的は、外部電源から電力が供給される電源別置型の場合であっても、外部電源から点灯回路に供給される電力に関する電気的変量が小さいことを容易に知らせることができる照明器具を提供することにある。
【課題を解決するための手段】
【０００６】
本発明の一態様に係る照明器具は、光源と、本体と、点灯回路と、判定部と、報知部とを備える。前記点灯回路は、前記本体に収容されており、前記本体外に設けられる外部電源から電力が供給されて前記光源を点灯させる。前記判定部は、前記外部電源から前記点灯回路に供給される前記電力に関する電気的変量が基準範囲内であるか否かを判定する。前記報知部は、前記電気的変量が前記基準範囲内でないと前記判定部が判定する場合に前記判定部の判定結果を報知する。
【発明の効果】
【０００７】
本発明の上記態様に係る照明器具によれば、外部電源から電力が供給される電源別置型の場合であっても、外部電源から点灯回路に供給される電力に関する電気的変量が基準範囲内でないことを容易に知らせることができる。
【図面の簡単な説明】
【０００８】
【図１】図１は、本発明の一実施形態に係る照明器具の回路図である。
【図２】図２は、同上の照明器具の斜視図である。
【図３】図３は、同上の照明器具の使用状態を示す概略図である。
【発明を実施するための形態】
【０００９】
以下、実施形態に係る照明器具について、図面を参照して説明する。
【００１０】
下記の実施形態等において説明する図１〜図３は、模式的な図であり、図中の各構成要素の大きさや厚さそれぞれの比が、必ずしも実際の寸法比を反映しているとは限らない。
【００１１】
（実施形態）
（１）照明器具の全体構成
まず、本実施形態に係る照明器具１の全体構成について、図１〜図３を参照して説明する。
【００１２】
照明器具１は、図１に示すように、光源ブロック２と、点灯装置３と、入力端子部４とを備える。また、照明器具１は、図２に示すように、本体５１と、カバー５２と、複数（図２では２つ）の支持具５３とを備える。
【００１３】
本実施形態に係る照明器具１は、図３に示すように、外部電源６から電力が供給される電源別置型の照明器具である。照明器具１は、高層ビル又は大型商業施設などの建物８に設置される。照明器具１は、例えば建物８内における通路又は廊下などの天井材８１に設置される。また、照明器具１は、非常時に光源ブロック２のＬＥＤ（Light Emitting Diode）２１（光源）を点灯させる非常灯（非常用照明器具）である。さらに、照明器具１は、図２に示すように、建物８内の天井材８１に形成された埋込孔を介して一部分が天井材８１の裏側に埋め込まれるようにして天井材８１に設置される埋込型の照明器具である。
【００１４】
図１に示すように、光源ブロック２は、光源としてＬＥＤ２１を備え、点灯装置３は、点灯回路３１と、制御回路３４と、モニタランプ３５（報知部）とを備える。点灯回路３１は、後述の本体５１（図２参照）に収容されており、本体５１外に設けられる外部電源６から電力が供給されてＬＥＤ２１を点灯させる。
【００１５】
このような照明器具１において、電力線７による電圧降下が点灯回路３１の電圧変換能力を超えて発生した場合、ＬＥＤ２１の光量が減少するため、ＬＥＤ２１からの光が照射される面（例えば床面）の照度が低くなる。
【００１６】
そこで、照明器具１では、制御回路３４が判定部３６を備え、判定部３６が、外部電源６から点灯回路３１に供給される電力に関する電気的変量が基準範囲内であるか否かを判定する。そして、電気的変量が基準範囲内でないと判定部３６が判定する場合に、モニタランプ３５が判定部３６の判定結果を報知する。
【００１７】
（２）外部電源
図３に示す外部電源６は、照明器具１の本体５１（図２参照）外に設けられており、商用電源とは異なる電源である。つまり、外部電源６は、照明器具１とは別に配置されている。外部電源６は、電力線７によって照明器具１と電気的に接続されている。
【００１８】
外部電源６は、複数のセルで構成されている蓄電池を備える。つまり、外部電源６は、直流電圧を出力する直流電源である。複数のセルは、互いに直列に接続されている。蓄電池は、例えば、ニッケル水素電池、リチウムイオン電池、又はニカド電池などの２次電池である。外部電源６は、照明器具１の本体５１に設けられており、複数の照明器具１と電気的に接続されている。外部電源６は、複数の照明器具１に対して電力を供給することが可能な容量を有する。
【００１９】
（３）照明器具の各構成要素
次に、本実施形態に係る照明器具１の各構成要素について、図面を参照して説明する。
【００２０】
（３．１）光源ブロック
図２に示す光源ブロック２は、ＬＥＤ２１と、レンズ２２とを備える。ＬＥＤ２１は、例えば、パッケージ型の照明用白色ＬＥＤである。レンズ２２は、例えばガラス製であって、回転放物面形状の入射面を有する。レンズ２２は、入射面に入射する光（ＬＥＤ２１から放射される光）の配光を制御するように構成されている。
【００２１】
（３．２）本体
本体５１は、図２に示すように、下面が開口した有底筒状であり、点灯装置３（図１参照）を収容する。本体５１は、例えば亜鉛鋼板又はステンレス鋼板などの１枚の板金に打ち抜き加工内を施し、かつ、曲げ加工を施すことにより形成されている。本体５１は、四角形状の窓５１１を有する。窓５１１は、本体５１の上部に形成されている。そして、入力端子部４（図１参照）を構成する端子ブロック５４が、本体５１に収容されている状態で、窓５１１を通して露出する。
【００２２】
本体５１は、多角形状の底板（図示せず）と、２つの側板５５とを有する。各側板５５は、底板と繋がっており、本体５１の側部を構成する。各側板５５は、上下方向に長い矩形状の５つの片（第１片５５１、第２片５５２、第３片５５３、第４片（図示せず）、第５片（図示せず））を有する。言い換えると、本体５１は、第１片５５１、第２片５５２、第３片５５３、第４片、及び第５片を、それぞれ２つずつ有する。各側板５５において、第１片５５１、第２片５５２、第３片５５３、第４片、及び第５片は一体に形成されている。
【００２３】
（３．３）カバー
カバー５２は、本体５１の外径（複数のフランジ片の先端縁の外径）よりも大きい円盤状である。カバー５２の中央には、円形の窓孔５２１が形成されている。窓孔５２１には、光源ブロック２のレンズ２２が通る。カバー５２は、本体５１の前面の開口を開放可能に塞ぐように構成されている。
【００２４】
（３．４）支持具
複数の支持具５３は、本体５１の２つの側板５５の第１片５５１に、それぞれ１つずつ取り付けられている。各支持具５３は、長尺の板ばね状に形成されている。各支持具５３は、長手方向の一端部で本体５１の第１片５５１に固定されており、かつ、長手方向の他端部が本体５１の底板に近付く向き（上向き）に撓み可能に構成されている。複数の支持具５３は、天井材８１の埋込孔を通って天井材８１の上側に位置することにより、複数の支持具５３と、本体５１の下端面に設けられている複数のフランジ片との間に天井材８１を挟み込むようにして、照明器具１は天井材８１に支持される。
【００２５】
（３．５）入力端子部
図１に示す入力端子部４は、本体５１に点灯装置３が収容されている状態において、電力線７を介して外部電源６に電気的に接続される。
【００２６】
（３．６）点灯装置
点灯装置３は、図１に示すように、光源ブロック２のＬＥＤ２１を点灯させるように構成されている。点灯装置３は、点灯回路３１と、電流測定部３２と、記憶部３３と、制御回路３４と、モニタランプ３５（報知部）とを備える。
【００２７】
点灯回路３１は、外部電源６から電力が供給されて光源ブロック２のＬＥＤ２１を点灯させるように構成されている。より詳細には、点灯回路３１は、後述の点灯制御部３７の指示に従って、外部電源６から供給される直流電流を定電流化してＬＥＤ２１に供給するように構成されている。点灯回路３１は、本体５１に収容されている。
【００２８】
本実施形態に係る照明器具１は非常灯であるから、点灯回路３１は、非常時に外部電源６から電力が供給されてＬＥＤ２１を点灯させる。言い換えると、点灯回路３１は、外部から照明器具１に対して非常点灯の指示が行われたときに、外部電源６から電力が供給されてＬＥＤ２１を点灯させる。ここで、非常時とは、例えば商用電源の停電時である。
【００２９】
電流測定部３２は、点灯回路３１の出力電流Ｉ１を測定するために設けられている。つまり、電流測定部３２は、光源ブロック２のＬＥＤ２１に供給される電流を測定するために設けられている。例えば、電流測定部３２は、点灯回路３１の出力端間においてＬＥＤ２１に直列に接続されている抵抗を備える。点灯回路３１の出力電流Ｉ１を測定する際に、電流測定部３２は、上記抵抗の両端電圧を出力電流Ｉ１として制御回路３４に出力する。つまり、上記抵抗の両端電圧が、出力電流Ｉ１の大きさを表す情報として、制御回路３４に出力される。
【００３０】
記憶部３３は、例えば半導体メモリであり、外部電源６から点灯回路３１に供給される電力に関する電気的変量を比較するための基準範囲を記憶する。本実施形態では、記憶部３３は、ＬＥＤ２１の出力電流Ｉ１に対応する基準範囲（基準電流範囲）をあらかじめ記憶する。記憶部３３は、後述の判定部３６による判定が行われる前に、基準範囲を記憶する。例えば照明器具１の製造時に、記憶部３３は、基準範囲を記憶する。
【００３１】
基準範囲は、例えば、光源であるＬＥＤ２１の光量が必要な光量になるような出力電流Ｉ１の範囲である。特に、照明器具１が非常灯（非常用照明器具）又は誘導灯などの防災用照明器具である場合、ＬＥＤ２１からの光が照射される面の照度は、法律などで定められている。基準範囲は、ＬＥＤ２１の定格電流を含む範囲である。
【００３２】
制御回路３４は、判定部３６と、点灯制御部３７とを備える。制御回路３４は、プロセッサ及びメモリが搭載されたコンピュータ（マイクロコンピュータを含む）を主構成要素として備える。上記コンピュータは、適宜のプログラムを実行することにより、制御回路３４として機能する。
【００３３】
点灯制御部３７は、非常時に外部電源６からＬＥＤ２１へ給電するように点灯回路３１を制御する。より詳細には、点灯制御部３７は、停電時に、外部電源６から照明器具１に電力が供給されるので、点灯回路３１を動作させる。一方、停電でないときは、点灯制御部３７は、照明器具１には電力が供給されないため、動作しない。
【００３４】
判定部３６は、外部電源６から点灯回路３１に供給される電力に関する電気的変量が基準範囲内であるか否かを判定するように構成されている。本実施形態の電気的変量は、点灯回路３１から光源ブロック２のＬＥＤ２１へ出力される出力電流Ｉ１である。本実施形態の判定部３６は、電流測定部３２で測定された出力電流Ｉ１が基準範囲（基準電流範囲）の下限値以上であるか否かを判定する。基準範囲の下限値は、例えば定格電流の９０％である。
【００３５】
より詳細には、判定部３６は、点灯回路３１の出力電流Ｉ１に関する情報を電流測定部３２から取得する。また、判定部３６は、基準範囲を記憶部３３から取得する。そして、判定部３６は、点灯回路３１の出力電流Ｉ１が基準範囲内であるか否かを判定する。出力電流Ｉ１が基準範囲内である場合、判定部３６は、ＬＥＤ２１の光量が適切であると判定する。一方、出力電流Ｉ１が基準範囲内でない場合、判定部３６は、外部電源６からの電圧が十分でなく、ＬＥＤ２１の光量が少ないと判定する。
【００３６】
電気的変量が基準範囲内であると判定部３６が判定する場合、つまり、出力電流Ｉ１が基準範囲内であると判定部３６が判定する場合、点灯回路３１は、ＬＥＤ２１を定格電流の明るさで点灯させる。
【００３７】
ところで、本実施形態では、判定部３６は、例えば外部電源６から照明器具１への給電のための操作が行われたときに、電気的変量が基準範囲内であるか否かを判定する。より詳細には、判定部３６は、照明器具１が外部電源６に電気的に接続された後、外部電源６から照明器具１への給電のための操作が最初に行われたときに、電気的変量が基準範囲内であるか否かを判定する。例えば、照明器具１が天井材８１（図３参照）に取り付けられる施工時において、照明器具１が外部電源６に電気的に接続された後、外部電源６から照明器具１への給電のための操作が最初に行われたときに、上記判定が行われる。つまり、施工時の点検において、上記判定が行われる。
【００３８】
ここで、外部電源６から照明器具１への給電のための操作は、例えば、ＬＥＤ２１が正常に点灯するか否かを点検するときに操作される点検スイッチ（図示せず）への操作である。上記点検スイッチは、例えば外部電源６、又は、外部電源６を制御する制御装置（図示せず）に設けられている。
【００３９】
なお、判定部３６による判定は、外部電源６から照明器具１への給電のための操作が行われたときに限定されず、他のタイミングで行われてもよい。照明器具１が非常用照明器具である場合、定期点検時に、上記判定が行われてもよい。定期点検とは、照明器具１において、外部電源６からの給電によって、光源としてのＬＥＤ２１を点灯させることである。定期点検は、例えば６か月など一定期間ごとに行われる。
【００４０】
モニタランプ３５は、電気的変量が基準範囲内でないと判定部３６が判定する場合に判定部３６の判定結果を報知する。つまり、モニタランプ３５は、電気的変量が基準範囲内でないと判定部３６が判定する場合に、ＬＥＤ２１の光量が少ないことを報知する。より詳細には、電気的変量が基準範囲内でない場合、モニタランプ３５は、正常時とは異なる点灯状態で点灯する。正常時とは異なる点灯状態として、モニタランプ３５は、例えば点滅する。モニタランプ３５は、例えば、緑色光を放射する発光ダイオードであり、少なくとも光の出射面が露出するように本体５１（図２参照）に設けられている。
【００４１】
ところで、上述の出力電流Ｉ１のように、外部電源６から点灯回路３１へ供給される電力が大きくなるほど、電気的変量が大きくなるという条件を満たすような電気的変量を用いることが好ましい。この場合、判定部３６は、電気的変量が基準範囲の下限値以上であるか否かを判定する。そして、モニタランプ３５は、電気的変量が基準範囲の下限値未満であると判定部３６が判定する場合に判定部３６の判定結果を報知する。
【００４２】
（４）照明器具の動作
次に、本実施形態に係る照明器具１の動作について、図１を参照して説明する。点灯装置３の記憶部３３は、基準範囲をあらかじめ記憶している。
【００４３】
照明器具１が天井材８１（図２参照）に取り付けられた後、作業者が外部電源６側に設けられている点検スイッチを押すと、外部電源６から照明器具１に電力が供給される。外部電源６からの給電により、制御回路３４が起動し、制御回路３４の判定部３６は、電流測定部３２の抵抗の両端電圧を用いて、点灯回路３１の出力電流Ｉ１を測定する。そして、判定部３６は、点灯回路３１の出力電流Ｉ１が記憶部３３に記憶されている基準範囲内であるか否かを判定する。
【００４４】
出力電流Ｉ１が基準範囲内であると判定部３６が判定する場合、制御回路３４の点灯制御部３７は、ＬＥＤ２１の光量が十分である状態（正常状態）を報知するようにモニタランプ３５を制御する。モニタランプ３５は、点灯制御部３７の指示に従って、正常状態を表す点灯状態で点灯する。
【００４５】
また、出力電流Ｉ１が基準範囲内であると判定部３６が判定する場合、点灯制御部３７は、点灯回路３１に対して点灯指示を行う。具体的には、点灯制御部３７は、ＬＥＤ２１が定格で点灯するように、点灯回路３１を制御する。点灯回路３１は、点灯制御部３７からの点灯指示に従い、ＬＥＤ２１に出力電流Ｉ１を供給する。ＬＥＤ２１は、点灯回路３１の指示に従って、定格で点灯する。
【００４６】
一方、点灯回路３１からの出力電流Ｉ１が基準範囲内でないと判定部３６が判定する場合、点灯制御部３７は、ＬＥＤ２１の光量が不十分である状態（異常状態）を報知するようにモニタランプ３５を制御する。モニタランプ３５は、点灯制御部３７の指示に従って、異常状態を表す点灯状態で点灯する。
【００４７】
上記の動作により、外部電源６の出力電圧が定格電圧であっても、電力線７での電圧降下によってＬＥＤ２１の光量が不十分であることを報知することができる。
【００４８】
例えば、建物８内に複数の照明器具１が接続されている場合について、図３を参照して説明する。外部電源６は、例えば建物８の地下に設けられている。複数の照明器具１のうち、外部電源６に近い照明器具１を第１照明器具１ａとし、外部電源６から遠い照明器具１を第２照明器具１ｂとする。
【００４９】
外部電源６がオン状態になると、外部電源６から各照明器具１へ電力が供給される。ここで、外部電源６から遠い第２照明器具１ｂと外部電源６との間の第２距離Ｄ２は、外部電源６に近い第１照明器具１ａと外部電源６との間の第１距離Ｄ１よりも長い。このため、第２照明器具１ｂでは、第１照明器具１ａよりも、電力線７による電圧降下が大きくなる傾向にある。
【００５０】
この場合、外部電源６の出力電圧の電圧値が正常値であっても、照明器具１と外部電源６との間の距離が長くなるほど、電力線７による電圧降下により、照明器具１の点灯回路３１（図１参照）の入力電圧Ｖ１（図１参照）が低くなる。このため、外部電源６から遠い第２照明器具１ｂでは、点灯回路３１の入力電圧Ｖ１が点灯回路３１の電圧変換能力を超えて低くなることがある。点灯回路３１の電圧変換能力を超えて電圧降下が発生すると、点灯回路３１からＬＥＤ２１へ適切な出力電流Ｉ１を流すことが難しくなる。その結果、点灯回路３１の出力電流Ｉ１が定格電流より小さくなり、ＬＥＤ２１の光量が減少する。
【００５１】
ＬＥＤ２１の光量が少ない場合、ＬＥＤ２１からの光が照射される面において必要な照度が得られず、照明器具１は要求されている機能を発揮することができないため、対策を施す必要がある。このため、照明器具１では、点灯回路３１の出力電流Ｉ１が基準範囲の下限値未満である場合、ＬＥＤ２１の光量が少ないことをモニタランプ３５が報知する。上記対策としては、例えば、電力線７の直径を太くして電力線７の断面積を大きくしたり、電力線７の線長を短くしたり、外部電源６を交換したり、又は、外部電源６の台数を増やしたりする。
【００５２】
（５）変形例
以下、本実施形態の変形例について説明する。
【００５３】
照明器具１において、点灯装置３の判定部３６での判定に用いられる電気的変量は、点灯回路３１の出力電流Ｉ１であることに限定されない。上記電気的変量は、点灯回路３１の入力電圧Ｖ１であってもよいし、点灯回路３１の出力電流Ｉ１及び点灯回路３１の入力電圧Ｖ１の両方であってもよい。要するに、上記電気的変量は、点灯回路３１の入力電圧Ｖ１及び点灯回路３１の出力電流Ｉ１の少なくとも一方であればよい。
【００５４】
上記電気的変量が点灯回路３１の入力電圧Ｖ１である場合、点灯装置３は、入力電圧Ｖ１を測定するための電圧測定部を備える。電圧測定部は、例えば、点灯回路３１の入力端間に接続されている２つの抵抗を備える。２つの抵抗は、直列に接続されている。点灯回路３１の入力電圧Ｖ１を測定する際に、電圧測定部は、上記２つの抵抗のうちのいずれかの両端電圧を入力電圧Ｖ１として制御回路３４に出力する。つまり、上記２つの抵抗のうちのいずれかの両端電圧が、入力電圧Ｖ１の大きさを表す情報として、制御回路３４に出力される。制御回路３４の判定部３６は、電圧測定部で測定された入力電圧Ｖ１が基準範囲（基準電圧範囲）の下限値以上であるか否かを判定する。基準範囲の下限値は、例えば定格電圧の９０％である。
【００５５】
電気的変量が基準範囲内でないと判定部３６が判定する場合に判定部３６の判定結果を報知する報知部は、モニタランプ３５に限定されない。言い換えると、報知部は、電気的変量が基準範囲内でないと判定部３６が判定する場合に判定部３６の判定結果を報知する機能を有していればよい。
【００５６】
例えば、上記報知部は、光源ブロック２のＬＥＤ２１（光源）と兼用してもよい。点灯回路３１は、電気的変量が基準範囲内でないと判定部３６が判定する場合に、あらかじめ決められた点灯状態でＬＥＤ２１を点灯させる。上記点灯状態として、ＬＥＤ２１は、例えば点滅する。
【００５７】
あるいは、上記報知部は、モニタランプ３５及びＬＥＤ２１（光源）とは別体の表示部であってもよい。
【００５８】
また、上記報知部は、上記のような表示部に限定されない。上記報知部は、例えばスピーカのような、音又は音声を出力する音出力部であってもよい。
【００５９】
さらに、上記報知部は、判定部３６の判定結果を通信にて外部に出力する通信部であってもよい。例えば、通信部は、電力線７とは別の信号線を用いて、判定部３６の判定結果を外部に出力する。あるいは、通信部は、電力線７を用いた電力線搬送通信（Power Line Communication：ＰＬＣ）によって、判定部３６の判定結果を外部に出力してもよい。あるいは、通信部は、無線通信によって、判定部３６の判定結果を外部に出力してもよい。
【００６０】
外部電源６は、直流電圧を出力する直流電源であることに限定されず、交流電圧を出力する交流電源であってもよい。外部電源６が交流電源である場合、点灯回路３１は、交流電圧を直流電圧に変換する電圧変換回路を備えればよい。
【００６１】
照明器具１は、埋込型の非常灯に限定されず、天井材８１に直付けされる直付け型の非常灯であってもよい。
【００６２】
また、照明器具１は、非常灯でなく、非常時に人を誘導するための誘導灯であってもよい。要するに、照明器具１は、防災用照明器具であってもよい。
【００６３】
上記の各変形例に係る照明器具１においても、本実施形態に係る照明器具１と同様の効果を奏する。
【００６４】
以上説明した実施形態及び変形例は、本発明の様々な実施形態及び変形例の一部に過ぎない。また、実施形態及び変形例は、本発明の目的を達成できれば、設計等に応じて種々の変更が可能である。
【００６５】
（６）効果
第１の態様に係る照明器具（１）は、光源（ＬＥＤ２１）と、本体（５１）と、点灯回路（３１）と、判定部（３６）と、報知部（モニタランプ３５；ＬＥＤ２１）とを備える。点灯回路（３１）は、本体（５１）に収容されており、本体（５１）外に設けられる外部電源（６）から電力が供給されて光源を点灯させる。判定部（３６）は、外部電源（６）から点灯回路（３１）に供給される電力に関する電気的変量（出力電流Ｉ１；入力電圧Ｖ１）が基準範囲内であるか否かを判定する。報知部は、電気的変量が基準範囲内でないと判定部（３６）が判定する場合に判定部（３６）の判定結果を報知する。
【００６６】
第１の態様に係る照明器具（１）では、外部電源（６）から点灯回路（３１）に供給される電力に関する電気的変量（出力電流Ｉ１；入力電圧Ｖ１）が基準範囲内でない場合、判定部（３６）の判定結果を報知することができる。これにより、外部電源（６）から電力が供給される電源別置型の場合であっても、外部電源（６）から点灯回路（３１）に供給される電力に関する電気的変量が基準範囲内でないことを知らせることができる。その結果、電源別置型の場合であっても、光源（ＬＥＤ２１）の光量が十分でないことを知らせることができる。
【００６７】
第２の態様に係る照明器具（１）では、第１の態様において、電気的変量は、点灯回路（３１）から光源（ＬＥＤ２１）へ出力される出力電流（Ｉ１）である。
【００６８】
第２の態様に係る照明器具（１）によれば、点灯回路（３１）から光源（ＬＥＤ２１）へ出力される出力電流（Ｉ１）を用いて判定を行うことによって、光源の光量が十分でないことを精度よく知らせることができる。
【００６９】
第３の態様に係る照明器具（１）では、第１又は２の態様において、報知部は、外部電源（６）から点灯回路（３１）に電力が供給されているか否かを報知するモニタランプで（３５）ある。
【００７０】
第３の態様に係る照明器具（１）によれば、光源（ＬＥＤ２１）とは別体の報知部（モニタランプ３５）によって、光源の光量が十分でないことを知らせることができる。
【００７１】
第４の態様に係る照明器具（１）では、第１又は２の態様において、報知部は、光源（ＬＥＤ２１）と兼用する。点灯回路（３１）は、電気的変量（出力電流Ｉ１；入力電圧Ｖ１）が基準範囲内でないと判定部（３６）が判定する場合に、あらかじめ決められた点灯状態で光源を点灯させる。
【００７２】
第４の態様に係る照明器具（１）によれば、報知部として別部材を追加する必要がないので、光源（ＬＥＤ２１）とは別に報知部を備える場合に比べて、部品点数を低減させることができる。
【００７３】
第５の態様に係る照明器具（１）では、第１〜４の態様のいずれか１つにおいて、点灯回路（３１）は、外部から前記照明器具に対して非常点灯の指示が行われたときに、前記外部電源から電力が供給されて光源（ＬＥＤ２１）を点灯させる。
【符号の説明】
【００７４】
１  照明器具
２１  ＬＥＤ（光源、報知部）
３１  点灯回路
３５  モニタランプ（報知部）
３６  判定部
５１  本体
６  外部電源
Ｉ１  出力電流（電気的変量）
Ｖ１  入力電圧（電気的変量）
【図１】
2019135709.tif 000003
【図２】
2019135709.tif 000004
【図３】
2019135709.tif 000005